(57)【要約】      （修正有）【課題】耐久性や強度に優れ、組立や分解が容易で、様々なパターンや高さにも対応可能で、高さ調整の可能な間仕切りを提供する。【解決手段】矩形状平板の対向する辺を貫通するように形成された複数の中空部を有するプラスチック製段ボールからなり、左辺及び右辺の少なくとも１つに係止部を有する板部材１０と、板部材の係止部と嵌合する係止用孔部を側面に有する柱部材２０と、からなる間仕切りである。柱部材２０は、矩形状平板の対向する辺を貫通するように形成された複数の中空部を有するプラスチック製段ボールとすることができる。また、複数の柱部材２０を上下に連結する連結部材を用いることができる。【選択図】図６
0003222927.tif 000002
【実用新案登録請求の範囲】
【請求項１】
矩形状平板の対向する辺を貫通するように形成された複数の中空部を有するプラスチック製段ボールからなり左辺及び右辺の少なくとも１つに係止部を有する板部材と、
前記板部材の係止部と嵌合する係止用孔部を側面に有する柱部材と、
からなることを特徴とする間仕切り。
【請求項２】
前記柱部材が、矩形状平板の対向する辺を貫通するように形成された複数の中空部を有するプラスチック製段ボールからなることを特徴とする請求項１に記載の間仕切り。
【請求項３】
複数の前記柱部材を上下に連結する連結部材を有することを特徴とする請求項１又は請求項２に記載の間仕切り。
【考案の詳細な説明】
【技術分野】
【０００１】
本考案は、屋内外において利用できる間仕切りに関するものである。
【背景技術】
【０００２】
従来、屋内外における間仕切りとして、木製、金属製、プラスチック製等の各種材料を所定の形状や大きさに加工した仕切板が用いられている。これらの仕切板は、デザイン的に優れたものが多いものの加工に手間がかかるため、近年ではより簡易な間仕切りとして、プラスチック製の段ボール材が用いられている。プラスチック製段ボールは、紙製段ボールと比較して耐久性があり、十分な強度を有している。
【０００３】
プラスチック製段ボールを用いた間仕切りとして、例えば特許文献１には、２枚のプラスチック製段ボールを相互に摺動自在に連結したペット用の間仕切りが記載されている。
【０００４】
また、特許文献２には、２枚のプラスチック製段ボールのそれぞれに突出部と切欠部を形成し、突出部と切欠部を嵌合させた状態で両者を貫通するように上下方向の中空部に連結棒を挿入して連結するようにした仕切板が記載されている。
【先行技術文献】
【特許文献】
【０００５】
【特許文献１】実用新案登録第３１２４６９９号公報
【特許文献２】実用新案登録第３１６９９１５号公報
【考案の概要】
【考案が解決しようとする課題】
【０００６】
ところで、大雨や地震等の災害発生時には、学校の体育館や公民館等が開放されて緊急避難場所として利用されている。近年の異常気象により、こうした緊急避難場所に避難者が大勢集まるケースが増加しているが、そこではプライベート空間の確保が課題となっている。
【０００７】
プライベート空間の確保のため現状では、紙製段ボールを間仕切りとしたり、簡易ベッドを組み立てたりしているが、紙製段ボールでは耐久性や強度の点で問題がある。
【０００８】
また、特許文献１や特許文献２に記載されたプラスチック製段ボールを用いた間仕切りの場合、紙製段ボールと比較して耐久性や強度には優れるものの、２枚のプラスチック製段ボールを連結するための構造が複雑であるため、緊急避難場所等で使用するためには、組立や分解に時間が掛かりすぎるという問題がある。
【０００９】
また、緊急避難場所に更衣室や救護室を設けた場合には、間仕切りの高さを高くする必要もある。
【００１０】
本考案は、上記従来の課題を解決するものであり、耐久性や強度に優れ、組立や分解が容易で、様々なパターンや高さにも対応可能な間仕切りを提供するものである。
【課題を解決するための手段】
【００１１】
上記課題を解決するため、本考案の間仕切りは、矩形状平板の対向する辺を貫通するように形成された複数の中空部を有するプラスチック製段ボールからなり左辺及び右辺の少なくとも１つに係止部を有する板部材と、前記板部材の係止部と嵌合する係止用孔部を側面に有する柱部材と、からなることを特徴とする。
【００１２】
また好ましくは、前記柱部材が、矩形状平板の対向する辺を貫通するように形成された複数の中空部を有するプラスチック製段ボールからなることを特徴とする。
【００１３】
また好ましくは、複数の前記柱部材を上下に連結する連結部材を有することを特徴とする。
【考案の効果】
【００１４】
本考案の間仕切りは、板部材と柱部材とから構成されている。板部材は、矩形状平板の対向する辺を貫通するように形成された複数の中空部を有するプラスチック製段ボールから形成されているので、耐久性や強度に優れている。また、板部材の左辺及び右辺の少なくとも１つには係止部が形成されており、柱部材の側面には板部材の係止部と嵌合する係止用孔部が形成されているので、係止部と係止用孔部とを嵌め合わせたり外したりすることで、容易に組立や分解を行うことができる。また、柱部材と板部材との組み合わせを変更することで、様々なパターンの間仕切りを構成することができる。
【００１５】
また、柱部材が矩形状平板の対向する辺を貫通するように形成された複数の中空部を有するプラスチック製段ボールから形成されている場合には、柱部材の耐久性や強度にも優れている。
【００１６】
また、複数の柱部材を上下に連結する連結部材を有する場合には、柱部材を上下に繋げて、板部材を取り付けることにより、間仕切りの高さを高くすることができる。これにより、緊急避難場所に更衣室や救護室を設ける場合などの要求に対応することができる。
【００１７】
このように、本考案によれば、耐久性や強度に優れ、組立や分解が容易で、様々なパターンや高さにも対応可能な間仕切りを提供することができる。
【図面の簡単な説明】
【００１８】
【図１】本考案の実施形態に係る板部材を示す（Ａ）平面図、（Ｂ）正面図、（Ｃ）側面図、（Ｄ）ａ部拡大正面図、（Ｅ）ａ部拡大平面図である。
【図２】本考案の実施形態に係る柱部材を示す（Ａ）組立前の平面図、（Ｂ）組立前の正面図、（Ｃ）組立前の側面図、（Ｄ）組立後の斜視図、（Ｅ）ｃ部拡大正面図、（Ｆ）ｄ部拡大斜視図、（Ｇ）ｅ部拡大斜視図である。
【図３】柱部材の溶着方法を示す断面図である。
【図４】一段式の間仕切りを示す斜視図である。
【図５】図４のｆ部の（Ａ）縦断面図、（Ｂ）ｇ−ｇ線断面図である。
【図６】二段式の間仕切りを示す斜視図である。
【図７】図６のｈ部の（Ａ）縦断面図、（Ｂ）ｉ−ｉ線断面図である。
【考案を実施するための形態】
【００１９】
次に、図１乃至図７を参照して、本考案の実施形態に係る間仕切りについて説明する。最初に図１乃至図３を参照して、本実施形態に係る間仕切りを構成する板部材及び柱部材について説明する。
【００２０】
図１は、板部材１０を示す（Ａ）平面図、（Ｂ）正面図、（Ｃ）側面図、（Ｄ）ａ部拡大正面図、（Ｅ）ａ部拡大平面図である。板部材１０は、矩形状平板のプラスチック製段ボールで形成されており、四囲が上辺１２、下辺１３、左辺１４、右辺１５となっている。プラスチック製段ボールは、対向する辺を貫通するように形成された複数の中空部を有するものであり、本実施形態の板部材１０では、上辺１２と下辺１３との間を貫通する縦方向（上下方向）の複数の中空部１１が設けられている。なお、中空部は左辺と右辺との間を貫通する横方向（左右方向）のものであってもよい。
【００２１】
板部材１０の左辺及び右辺には、係止部１６が３つずつ設けられている。係止部１６は、板部材１０を構成するプラスチック製段ボールを切断加工して形成されている。係止部１６の水平方向の上辺を係止部上部１７とし、下辺を係止下部１８とすると、係止下部１８の根本側には切欠部１９が形成されている。切欠部１９は、下側開口部から上に向かって幅が狭くなるように形成されている。なお、係止部１６は左辺及び右辺のどちらか１つに設けてもよいが、柱部材との連結が両側で可能となるように、左右両側に設けることが好ましい。また、係止部１６の数は特に限定されない。
【００２２】
図２は、柱部材２０を示す（Ａ）組立前の平面図、（Ｂ）組立前の正面図、（Ｃ）組立前の側面図、（Ｄ）組立後の斜視図、（Ｅ）ｃ部拡大正面図、（Ｆ）ｄ部拡大斜視図、（Ｇ）ｅ部拡大斜視図である。柱部材２０は、矩形状平板２２（組立前の柱部材）を組み立てたものである。矩形状平板２２は、プラスチック製段ボールで形成されており、対向する辺を貫通するように形成された複数の中空部を有している。本実施形態の矩形平板２２では、左辺と右辺との間を貫通する縦方向（左右方向）の複数の中空部１１が設けられている。なお、中空部は上辺と下辺との間を貫通する縦方向（上下方向）のものであってもよい。
【００２３】
矩形状平板２２には、図２（Ｂ）に示す縦方向の切れ目（二点鎖線）が形成されており、この切れ目に沿って折り曲げて、柱状に組み立てるようになっている。矩形状平板２２の左側端部には、組立時に重ね合わせるための余り部が設けられている。また、矩形状平板２２には、組立後の４つの側面となる部分に、係止用孔部２３が３つずつ設けられている。また、組立後の側面となる部分の１つに、溶着用孔部２４が４つ設けられている。係止用孔部２３は、板部材１０の係止部１６と嵌合するものであり、係止部１６に対応する位置に設けられており、上下方向の長さが係止部１６の上下方向の長さとほぼ同一で、かつ係止部１６を挿入可能な長さとなっている。係止用孔部２３は必ずしも４つの側面すべてに設ける必要はないが、板部材との連結がすべての側面で可能となるように、４つの側面すべてに設けることが好ましい。
【００２４】
矩形状平板２２を組み立てて柱部材２０とするには、まず矩形状平板２２を縦方向の切れ目（二点鎖線）に沿って折り曲げて四角柱状にする。そして、図２（Ｂ）に示す右側端部に左側端部の余り部を重ね合わせて溶着する。図３は、柱部材２０の溶着方法を示す断面図である。柱部材２０には、溶着用孔部２４が４つ設けられており、それぞれの溶着用孔部２４から溶着用具３０を挿入して溶着させる。溶着用具３０は、熱板式やレーザー式等を用いることができる。
【００２５】
なお、柱部材２０は、必ずしもプラスチク製段ボールで形成しなくてもよいが、耐久性や強度の観点から、プラスチク製段ボールとすることが好ましい。
【００２６】
次に、図４及び図５を参照して、本実施形態に係る一段式の間仕切りについて説明する。図４は、一段式の間仕切り１００を示す斜視図である。間仕切り１００は、５枚の板部材１０及び６本の柱部材２０を連結したものである。
【００２７】
図５は、図４のｆ部の（Ａ）縦断面図、（Ｂ）ｇ−ｇ線断面図である。ｆ部における１本の柱部材２０には、両側から２枚の板部材１０，１０が連結されている。板部材１０と柱部材２０とを連結する際には、柱部材２０の係止用孔部２３に、板部材１０の係止部１６を挿入する。そして、板部材１０を下方に移動させながら、係止部１６の切欠部１９に係止用孔部２３の下側縁部が当接するようにする。これにより、係止部１６と係止用孔部２３とが嵌合して、板部材１０と柱部材２０とが連結される。このようにして、一段式の間仕切り１００を設置することができる。
【００２８】
次に、図６及び図７を参照して、本実施形態に係る二段式の間仕切りについて説明する。図６は、二段式の間仕切り２００を示す斜視図である。間仕切り２００は、１０枚の板部材１０及び１２本の柱部材２０を連結したものである。
【００２９】
図７は、図６のｈ部の（Ａ）縦断面図、（Ｂ）ｉ−ｉ線断面図である。ｈ部においては、２本の柱部材２０が上下に連結されており、２本の柱部材２０のそれぞれには、両側から２枚の板部材１０，１０が連結されている。２本の柱部材を上下に連結する際には、連結部材４０を使用する。連結部材４０は、柱部材２０の内部の空洞に対応して嵌合する横断面を有する四角柱状の部材であり、上下方向の長さは、下側に配置される板部材１０の係止部１６の係止上部１７と、上側に配置される板部材１０の係止部１６の係止下部１８との間の長さと等しくなっている。
【００３０】
下側に配置される柱部材２０の上端部と、上側に配置される柱部材２０の下端部との間に、連結部材４０を挿入して嵌合することにより、２本の柱部材２０を上下に連結することができる。そして、連結部材４０は、下側の係止部１６と上側の係止部１６との間に収まり、下側の係止部１６に支持されるので、特別の固定手段を設ける必要はない。なお、板部材１０と柱部材２０とを連結する方法は、間仕切り１００と同様である。このようにして、二段式の間仕切り２００を設置することができる。
【００３１】
なお、間仕切りを何段式にするか、１本の柱部材２０に何枚の板部材１０を連結するか（最大４枚）といった点を組み合わせることにより、様々なパターンの間仕切りを構成することができる。
【００３２】
本実施形態に係る間仕切り１００，２００は、板部材１０と柱部材２０とから構成されている。板部材１０は、矩形状平板の上辺と下辺とを貫通するように形成された複数の中空部を有するプラスチック製段ボールから形成されているので、耐久性や強度に優れている。また、板部材１０の左辺及び右辺には係止部１６が形成されており、柱部材２０の側面には板部材１０の係止部１６と嵌合する係止用孔部２３が形成されているので、係止部１６と係止用孔部２３とを嵌め合わせたり外したりすることで、容易に組立や分解を行うことができる。また、柱部材２０と板部材１０との組み合わせを変更することで、様々なパターンの間仕切りを構成することができる。
【００３３】
また、柱部材２０が矩形状平板の対向する辺を貫通するように形成された複数の中空部を有するプラスチック製段ボールから形成されているので、柱部材２０の耐久性や強度にも優れている。
【００３４】
また、複数の柱部材２０を上下に連結する連結部材４０を有するので、柱部材２０を上下に繋げて、板部材１０を取り付けることにより、間仕切りの高さを高くして調整することができる。これにより、緊急避難場所に更衣室や救護室を設ける場合などの要求に対応することができる。
【００３５】
このように、本実施形態に係る間仕切りは、耐久性や強度に優れ、組立や分解が容易で、様々なパターンや高さにも対応できる。
【符号の説明】
【００３６】
１０  板部材
１１  中空部
１２  上辺
１３  下辺
１４  左辺
１５  右辺
１６  係止部
１７  係止上部
１８  係止下部
１９  切欠部
２０  柱部材
２１  中空部
２２  矩形状平板（組立前の柱部材）
２３  係止用孔部
２４  溶着用孔部
２５  溶着部
３０  溶着用具
４０  連結部材
１００  間仕切り
２００  間仕切り
【図１】
0003222927.tif 000003
【図２】
0003222927.tif 000004
【図３】
0003222927.tif 000005
【図４】
0003222927.tif 000006
【図５】
0003222927.tif 000007
【図６】
0003222927.tif 000008
【図７】
0003222927.tif 000009